(57)【特許請求の範囲】
【請求項１】
外部機器との無線通信を実行する第１の無線通信手段と、
前記第１の無線通信手段とは異なる無線通信方式で前記外部機器との無線通信を実行する第２の無線通信手段と、
前記第２の無線通信手段によって取得した前記外部機器が既に受信したデータに関する情報に基づいて、前記外部機器が既に受信したデータを使用不可状態となるように制御する制御手段とを具備し、
前記制御手段は、前記外部機器が前記第１の無線通信手段によって送信されたデータを受信できなかった場合に、前記外部機器が既に受信しているデータに関する情報を前記第２の無線通信手段によって前記外部機器から取得するよう制御し、前記第２の無線通信手段によって取得した前記外部機器が既に受信したデータに関する情報を参照することで、前記外部機器が受信していないデータを送信するよう制御し、前記第２の無線通信手段によって取得した前記外部機器が既に受信したデータに関する情報に基づいて、前記外部機器が既に受信したデータを使用不可状態となるように制御することを特徴とする電子機器。
【請求項２】
前記第１の無線通信手段によって送信されるデータには、前記外部機器に送信される順番を示す番号情報が付与されることを特徴とする請求項１記載の電子機器。
【請求項３】
前記第２の無線通信手段は、前記外部機器が既に受信しているデータに付与されている番号情報を前記外部機器から取得することを特徴とする請求項２記載の電子機器。
【請求項４】
前記使用不可状態とは、消去またはアクセス不可能な状態のいずれかであることを特徴とする請求項１記載の電子機器。
【請求項５】
外部機器と第１の無線通信手段および第２の無線通信手段によって無線通信可能な電子機器にて実行されるデータ転送方法において、
前記外部機器が前記第１の無線通信手段によって送信されたデータを受信できなかった場合に、前記外部機器が既に受信しているデータに関する情報を前記第２の無線通信手段によって前記外部機器から取得するよう制御し、前記第２の無線通信手段によって取得した前記外部機器が既に受信したデータに関する情報を参照することで、前記外部機器が受信していないデータを送信するよう制御し、前記第２の無線通信手段によって取得した前記外部機器が既に受信したデータに関する情報に基づいて、前記外部機器が既に受信したデータを使用不可状態となるように制御することを特徴とするデータ転送方法。
【請求項６】
前記第１の無線通信手段によって送信されるデータには、前記外部機器に送信される順番を示す番号情報が付与されることを特徴とする請求項５記載のデータ転送方法。
【請求項７】
前記第２の無線通信手段は、前記外部機器が既に受信しているデータに付与されている番号情報を前記外部機器から取得することを特徴とする請求項６記載のデータ転送方法。
【請求項８】
前記使用不可状態とは、消去またはアクセス不可能な状態のいずれかであることを特徴とする請求項５記載のデータ転送方法。
【発明の詳細な説明】
【技術分野】
【０００１】
本発明は、例えば無線機能搭載の電子機器および該電子機器にて実行されるデータ転送
方法に関する。
【背景技術】
【０００２】
近年、デジタル化の進展に伴い、データは比較的容易にコピー可能となったため、デジ
タルデータの著作権を考慮した技術が開発されている。
【０００３】
例えば地上波デジタル放送に代表される高品質の動画像等をある機器から別の機器へ転
送するためには、著作権保護規制上、ムーブという決まりに従ってデータ転送が行われる
。
【０００４】
ムーブとは、オリジナルのデジタルデータが有する著作権を考慮していないデジタルデ
ータの増加を抑えることを目的として、オリジナルのデジタルデータのコピーを存在させ
ないようにする機能である。例えば、デジタルデータを有する機器Ａから機器Ｂにムーブ
と呼ばれる機能を実行することでコンテンツを転送する場合、機器Ａは機器Ｂにデジタル
データを転送し、機器Ｂはそのデジタルデータをコピーするとともに、機器Ａは転送済み
のコンテンツを完全に消去、もしくはアクセスできない状態にする。ムーブ機能に関する
技術が特許文献１に開示されている（特許文献１参照。）。
【特許文献１】特開２００１−８４１７７号公報
【発明の開示】
【発明が解決しようとする課題】
【０００５】
ところで、ムーブによるデジタルデータの転送に失敗した場合、送信側の機器は転送の
対象のデジタルデータを使用不可能な状態にしているため、通信相手にデジタルデータを
再送することができない。
【０００６】
そこで、本発明は、通信相手に確実にデータを転送可能な電子機器および該電子機器に
て実行されるデータ転送方法を提供することを目的とする。
【課題を解決するための手段】
【０００７】
上記目的を達成するために、請求項１に係わる電子機器は、外部機器との無線通信を実行する第１の無線通信手段と、前記第１の無線通信手段とは異なる無線通信方式で前記外部機器との無線通信を実行する第２の無線通信手段と、前記第２の無線通信手段によって取得した前記外部機器が既に受信したデータに関する情報に基づいて、前記外部機器が既に受信したデータを使用不可状態となるように制御する制御手段とを具備し、前記制御手段は、前記外部機器が前記第１の無線通信手段によって送信されたデータを受信できなかった場合に、前記外部機器が既に受信しているデータに関する情報を前記第２の無線通信手段によって前記外部機器から取得するよう制御し、前記第２の無線通信手段によって取得した前記外部機器が既に受信したデータに関する情報を参照することで、前記外部機器が受信していないデータを送信するよう制御し、前記第２の無線通信手段によって取得した前記外部機器が既に受信したデータに関する情報に基づいて、前記外部機器が既に受信したデータを使用不可状態となるように制御することを特徴とする。
【０００８】
また、請求項５に係わる電子機器にて実行されるデータ転送方法は、外部機器と第１の無線通信手段および第２の無線通信手段によって無線通信可能な電子機器にて実行されるデータ転送方法において、前記外部機器が前記第１の無線通信手段によって送信されたデータを受信できなかった場合に、前記外部機器が既に受信しているデータに関する情報を前記第２の無線通信手段によって前記外部機器から取得するよう制御し、前記第２の無線通信手段によって取得した前記外部機器が既に受信したデータに関する情報を参照することで、前記外部機器が受信していないデータを送信するよう制御し、前記第２の無線通信手段によって取得した前記外部機器が既に受信したデータに関する情報に基づいて、前記外部機器が既に受信したデータを使用不可状態となるように制御することを特徴とする。
【発明の効果】
【０００９】
本発明によれば、通信相手に確実にデータを転送可能な電子機器および該電子機器にて
実行されるデータ転送方法を提供することが可能となる。
【発明を実施するための最良の形態】
【００１０】
以下本発明に係る実施の形態を、図面を参照して説明する。
【００１１】
図１は、第１の無線通信手段および第２の無線通信手段を夫々具備する第１の電子機器
および第２の電子機器間にて実行される通信について示した図である。
【００１２】
第１の電子機器である無線機器Ａは第２の電子機器である無線機器Ｂとの間で無線通信
を実行する。無線機器Ａは無線機器Ｂと２つの無線通信手段を用いて無線通信を実行する
ことが可能である。
【００１３】
無線機器Ａは無線機器Ｂとの間で例えば第１の無線通信手段であるＵＷＢ（Ultra Wide
Band）および第２の無線通信手段であるＢｌｕｅｔｏｏｔｈ（登録商標、以下同様）を用いて無線通信を実行する。
【００１４】
無線機器Ａは無線機器Ｂにデジタルデータを無線通信手段によって送信する。本実施形
態では、無線機器Ａから無線機器Ｂにビデオデータを送信する例を考える。
【００１５】
無線機器Ａから無線機器Ｂにビデオデータを送信する場合、無線機器Ａはムーブ機能を
実行する。ムーブ機能とは、例えば無線機器Ａが無線機器Ｂにビデオデータを転送する場
合、無線機器Ａは無線機器Ｂに転送済みのコンテンツを再生できないようにするために完
全に消去、またはアクセス不可能な状態にするといった機能である。
【００１６】
無線機器Ａは無線機器ＢにＵＷＢを用いてビデオデータを転送している最中に、何らか
の理由で無線機器Ａと無線機器Ｂとの間でＵＷＢを用いてビデオデータが転送できなくな
る場合がありうる。例えば無線機器Ａおよび無線機器Ｂとの間に確立されているＵＷＢ通
信の無線経路に障害が生じた場合である。障害の原因として、無線機器の移動による無線
機器Ａと無線機器Ｂとが互いに通信可能範囲外、または周波数干渉等が考えられる。
【００１７】
無線機器Ａと無線機器Ｂとの間でＵＷＢを用いてビデオデータが転送できなくなった場
合、無線機器Ａはムーブ機能を実行して無線機器Ｂにビデオデータを送信しているため、
既に無線機器Ｂに送信したと無線機器Ａが判断しているデジタルコンテンツに対して完全
に消去、またはアクセス不可能な状態にする処理がなされる。
【００１８】
無線機器Ａから無線機器Ｂに対して送信されたビデオデータが無線機器Ａおよび無線機
器Ｂ間の無線通信障害のために無線機器Ｂによって受信されていない場合、無線機器Ｂが
受信すべきビデオデータを受信していないにもかかわらず、無線機器Ａがムーブ機能を実
行することで当該送信されたビデオデータを完全に消去、またはアクセス不可能な状態に
するので、無線機器Ａが有していたビデオデータが完全に無線機器Ｂに送信されないこと
になる。
【００１９】
そこで、無線機器Ａが有しているビデオデータを無線機器Ｂに転送することを可能とす
る構成を以下に説明する。次に、第１の無線機器および第２の無線機器のシステム構成に
ついて説明する。
【００２０】
図２は、第１の電子機器および第２の電子機器のシステム構成の一例について説明する
図である。
【００２１】
図１における無線機器Ａは第１の電子機器１に相当し、無線機器Ｂは第２の電子機器に
相当する。
【００２２】
第１の電子機器１は、制御部１００、記憶部１０１、第１の無線通信部１０２、第２の
無線通信部１０３、アンテナ１０４およびアンテナ１０５で構成される。
【００２３】
制御部１００には記憶部１０１、第１の無線通信部１０１および第２の無線通信部１０
３が接続される。
【００２４】
制御部１００は第１の電子機器１のシステム全体を制御する。例えば記憶部１０１への
ビデオデータ格納処理、記憶部１０１に記憶されているビデオデータのリード処理、記憶
部１０１に展開されているプログラムの実行処理、記憶部１０１からリードしたビデオデ
ータの第１の無線通信部への転送処理等を実行する。
【００２５】
記憶部１０１には第２の電子機器２に送信されるビデオデータが格納されている。また
、例えばムーブ機能を実現するためのムーブプログラム１０１ａが展開されている。さら
に、第２の電子機器２に送信される順番毎に送信対象のビデオデータにシリアルナンバを
付与するシリアルナンバ（ＳＮ）付与プログラム１０１ｂも展開されている。
【００２６】
第１の無線通信部１０２はアンテナ１０４を介して第２の電子機器２と無線通信を実行
する。第１の無線通信部１０２は記憶部１０１に格納しているビデオデータをアンテナ１
０４を介して第２の電子機器２に送信する。第１の無線通信部１０２として例えばＵＷＢ
無線通信部が考えられる。
【００２７】
第２の無線通信部１０３はアンテナ１０５を介して第２の電子機器と無線通信を実行す
る。第２の無線通信部１０３として例えばＢｌｕｅｔｏｏｔｈ無線通信部が考えられる。
【００２８】
一方、第２の電子機器２は、制御部２００、記憶部２０１、第１の無線通信部２０２、
第２の無線通信部２０３、アンテナ２０４およびアンテナ２０５で構成される。
【００２９】
制御部２００には記憶部２０１、第１の無線通信部２０１および第２の無線通信部２０
３が接続される。
【００３０】
制御部２００は第２の電子機器２のシステム全体を制御する。例えば記憶部２０１への
ビデオデータ格納処理、記憶部２０１に記憶されているビデオデータのリード処理、記憶
部２０１に展開されているプログラムの実行処理等を実行する。
【００３１】
記憶部２０１には第１の電子機器１から送信されたビデオデータが格納される。
【００３２】
第１の無線通信部２０２はアンテナ２０４を介して第１の電子機器１と無線通信を実行
する。第１の無線通信部２０２はアンテナ２０４を介して第１の電子機器１から送信され
てきたビデオデータを受信する。第１の無線通信部２０２として例えばＵＷＢ無線通信部
が考えられる。
【００３３】
第２の無線通信部２０３はアンテナ２０５を介して第１の電子機器２と無線通信を実行
する。第２の無線通信部２０３として例えばＢｌｕｅｔｏｏｔｈ無線通信部が考えられる
。
【００３４】
第１の無線通信部１０２、２０２として、データ量の大きいビデオデータ転送にも対応
可能な周波数帯域広い無線通信方式が適している。
【００３５】
第２の無線通信部１０３、２０３として、第１の無線通信部１０２、２０２にて実行さ
れる無線通信方式よりも無線通信範囲が広い無線通信方式が適している。さらに、第２の
無線通信部１０３、２０３として、第１の無線通信部１０２、２０２にて実行される無線
通信方式との電波干渉を避けるために、第１の無線通信部１０２、２０２にて実行される
無線通信方式が使用する周波数帯域とは異なる周波数帯域を使用する無線通信方式が適し
ている。次に、第１の電子機器１から第２の電子機器２への間で実行されるデータ送信手
順について説明する。
【００３６】
図３は、第１の電子機器１および第２の電子機器２間で実行されるデータ送信手順の一
例を示す流れ図である。
【００３７】
第１の電子機器１の第１の無線通信部１０２と第２の電子機器２の第１の無線通信部２
０２とはＵＷＢ無線通信方式に準じた無線通信経路を確立している。第１の電子機器１か
ら第２の電子機器２にＵＷＢ無線通信方式に準じた無線通信経路を介してビデオデータが
送信される（ステップ  Ｓ１０１）。この際、第１の電子機器１ではムーブ機能が実行さ
れている。
【００３８】
第１の電子機器１からＵＷＢ無線通信方式に準じた無線通信経路を介して第２の電子機
器２にビデオデータが転送されなかった場合（ステップ  Ｓ１０２）、第１の電子機器１
の第２の無線通信部１０３と第２の電子機器２の第２の無線通信部２０３とはＢｌｕｅｔ
ｏｏｔｈ無線通信方式に準じた無線通信経路を確立する。
【００３９】
ここで、ステップＳ１０２の場合とは、前述したとおり、無線機器の移動による第１の
電子機器１と第２の電子機器２とが互いにＵＷＢ通信可能範囲外、または、周波数干渉等
によるＵＷＢ無線通信方式に準じた無線通信経路の切断が考えられる。
【００４０】
第１の電子機器１および第２の電子機器２の間でＢｌｕｅｔｏｏｔｈ無線通信方式に準
じた無線通信経路が確立されている状態において、第１の電子機器１はＢｌｕｅｔｏｏｔ
ｈ無線通信方式に準じた無線通信経路を介して第２の電子機器２に、第２の電子機器２が
既に受信しているビデオデータに関する情報を問い合わせる（ステップ  Ｓ１０３）。既
に受信しているビデオデータに関する情報として、例えばビデオデータに付与されている
シリアルナンバが考えられる。
【００４１】
第１の電子機器１は第２の電子機器２から送信されるシリアルナンバ情報を受信すると
（ステップ  Ｓ１０４  Ｙｅｓ）、受信したシリアルナンバ情報を例えば記憶部１０１に
記憶させておく（ステップ  Ｓ１０５）
【００４２】
第１の電子機器１は第２の電子機器２から送信されてきたシリアルナンバ情報を参考に
、第１の電子機器１が有しているビデオデータのうち第１の電子機器１から第２の電子機
器２に送信され第２の電子機器２の記憶部２０１に記憶されているビデオデータを完全に
消去、またはアクセス不可能な状態にする（ステップ  Ｓ１０６）。これにより、第１の
電子機器１および第２の電子機器２に同じビデオデータが存在しないようにする。
【００４３】
第１の電子機器１が第２の電子機器２と再びＵＷＢ無線通信方式に準じた無線通信経路
を確立した場合（ステップ  Ｓ１０７  Ｙｅｓ）、第１の電子機器１はステップＳ１０５
にて例えば記憶部１０１に記憶されているシリアルナンバ情報を用いて、ＵＷＢ無線通信
方式に準じた無線通信経路を介して第２の電子機器２に送信すべきビデオデータを設定す
る（ステップ  Ｓ１０８）。
【００４４】
ステップＳ１０５にて第２の電子機器２に送信するビデオデータを設定する方法の一例
として、第１の電子機器１は、第２の電子機器２が既に受信しているビデオデータに付与
されているシリアルナンバ情報の中で第２の電子機器２が最後に受信したビデオデータに
付与されているシリアルナンバ情報を用いて、第２の電子機器２に送信するビデオデータ
を設定する。
【００４５】
第１の電子機器１はステップＳ１０８にて設定したビデオデータをＵＷＢ無線通信方式
に準じた無線通信経路を介して第２の電子機器２に送信する（ステップ  Ｓ１０１）。
【００４６】
一方、第１の電子機器１が第２の電子機器２と再びＵＷＢ無線通信方式に準じた無線通
信経路を確立しなかった場合（ステップ  Ｓ１０７  Ｎｏ）、第１の電子機器１は、再び
ＵＷＢ無線通信方式に準じた無線通信経路を介して第２の電子機器２と無線通信を実行可
能となるまで待機するか否かを判断する（ステップ  Ｓ１０９）。第１の電子機器１が再
びＵＷＢ無線通信方式に準じた無線通信経路を介して第２の電子機器２と無線通信を実行
可能となるまで待機する場合（ステップ  Ｓ１０９  Ｙｅｓ）、ステップＳ１０７の処理
に戻る。ビデオデータを受信した第２の電子機器２はシリアルナンバ付きのビデオデータ
からシリアルナンバデータを削除して、オリジナルのビデオデータを作成する。
【００４７】
ＵＷＢ無線通信方式に準じた無線通信経路を用いた第１の電子機器１から第２の電子機
器２へのビデオデータ転送に障害が起こった場合に、ＵＷＢ通信の通信可能範囲よりもＢ
ｌｕｅｔｏｏｔｈ通信の通信可能範囲のほうが広いため、第１の電子機器１は第２の電子
機器２に対してＢｌｕｅｔｏｏｔｈ無線通信方式に準じた無線通信経路を介してビデオデ
ータ再送時に使用するビデオデータに付与されているシリアルナンバの情報を受信するこ
とが可能となる。
【００４８】
上述にて説明した例では、Ｂｌｕｅｔｏｏｔｈ無線通信方式に準じた無線通信経路に障
害が生じた場合に第１の電子機器１から第２の電子機器２へのビデオデータ転送に不備が
起こる可能性がある。そこで、第１の電子機器１から第２の電子機器２へ完全にビデオデ
ータの転送を行いたい場合、Ｂｌｕｅｔｏｏｔｈ無線通信方式に準じた無線通信経路が常
に確保された状態であることが判定されている場合に、第１の電子機器１から第２の電子
機器２へビデオデータの転送を行えばよい。次に、ビデオデータに付与されるシリアルナ
ンバに関して説明する。
【００４９】
第１の電子機器１が有しているビデオデータは第１の電子機器１から第２の電子機器２
に転送される前に、第１の電子機器１にて、ある一定の大きさのビデオデータに分割され
る。
【００５０】
図４に一般的なビデオフォーマットの一例を示す。このビデオフォーマットに準じてい
るビデオデータはPGC(Program Chain)と呼ばれるPG(Program)の集合体である。分割処理
にて作成されるビデオデータのデータ量の決め方は、ユーザーがインターフェイス上から
選択可能なPTT(Part of Title<Chapter>)や、PGを構成するCell、更に小さい単位のVOBU(
Video Object Unit)といった具合に、精度、負荷に応じて決めるやり方が考えられる。
【００５１】
以下、転送されるビデオデータをNV_PCK(Navigation Pack)、Video Data、Audio Data
で構成されるVOBU単位で分割する例を示す。VOBUのデータ量は0.4〜１(sec)といった非常
に短い時間で再生されるデータ量である。
【００５２】
図５にシリアルナンバ設定の一例を示す。例えばVOBUの先頭にビデオデータ転送処理時
に使用するシリアルナンバを設定する。シリアルナンバは非常にデータ量としては少ない
。
【００５３】
第１の電子機器１から第２の電子機器２へのビデオデータ転送の中断後の第１の電子機
器１から第２の電子機器２への再送処理のために例えばVOBUの先頭に設定されたシリアル
ナンバを用いると、第１の電子機器１および第２の電子機器２が共通したビデオデータを
有するデータの重複、また、第１の電子機器１が有していたにもかかわらず第２の電子機
器２には転送されていないというデータの欠損という問題を回避することが可能となる。
【００５４】
本発明は上記実施形態をそのままに限定されるものではなく、実施段階ではその要旨を
逸脱しない範囲で構成要素を変形して具体化できる。また、上記実施形態に開示されてい
る複数の構成要素の適宜な組み合わせにより、種々の発明を形成できる。例えば、実施形
態に示されている全構成要素から幾つかの構成要素を削除してもよい。さらに、異なる実
施形態にわたる構成要素を適宜組み合わせてもよい。
【図面の簡単な説明】
【００５５】
【図１】第１の無線通信手段および第２の無線通信手段を具備する第１の電子機器および第２の電子機器間にて実行される通信について示した図。
【図２】第１の電子機器および第２の電子機器のシステム構成の一例について説明する図。
【図３】第１の電子機器１および第２の電子機器２間で実行されるデータ送信手順の一例を示す流れ図。
【図４】一般的なビデオフォーマットを示す図。
【図５】シリアルナンバ設定について示す図。
【符号の説明】
【００５６】
１…第１の電子機器、２…第２の電子機器、１００…制御部、
１０１…記憶部、１０２…第１の無線通信部、１０３…第２の無線通信部、
２００…制御部、２０１…記憶部、２０２…第１の無線通信部、
２０３…第２の無線通信部、
【図１】
0004801990.tif 000002
【図２】
0004801990.tif 000003
【図３】
0004801990.tif 000004
【図４】
0004801990.tif 000005
【図５】
0004801990.tif 000006